(57)【要約】【課題】  防犯性を維持しつつ、操作性を容易に向上させることが可能な施錠装置及び該施錠装置を備える開口部装置を提供する。【解決手段】  シリンダー錠１、５１、錠箱１０、６０及び室内側ユニット２０、７０が室外側からこの順に配置されるとともに、室内側及び室外側のいずれの側からも施解錠が可能である一対の施錠ユニット４０、９０と、一対の施錠ユニットに具備され、いずれか一方の施錠ユニットの室外側からの施錠操作を介して他方の施錠ユニットの施錠を可能とする連動状態と、いずれか一方の施錠ユニットの室外側からの解錠操作を介しても他方の前記施錠ユニットの解錠が不可能である非連動状態とを切り替え可能とする切替機構とを備えることを特徴とする。【選択図】      図２
2006249910.tif 000002
【特許請求の範囲】
【請求項１】
シリンダー錠、錠箱及び室内側ユニットが室外側からこの順に配置されるとともに、室内側及び室外側のいずれの側からも施解錠が可能である一対の施錠ユニットと、
前記一対の施錠ユニットに具備され、いずれか一方の前記施錠ユニットの室外側からの施錠操作を介して他方の前記施錠ユニットの施錠を可能とする連動状態と、いずれか一方の前記施錠ユニットの室外側からの解錠操作を介しても他方の前記施錠ユニットの解錠が不可能である非連動状態とを切り替え可能とする切替機構と、を備えることを特徴とする施錠装置。
【請求項２】
前記切替機構は、いずれか一方の前記施錠ユニットの室内側からの施錠操作を介して他方の前記施錠ユニットの施錠を可能とすることを特徴とする請求項１に記載の施錠装置。
【請求項３】
前記一対の施錠ユニットは第１施錠ユニットと第２施錠ユニットとを有し、
前記切替機構は、
前記第１施錠ユニットに配置され、前記第１施錠ユニットの施解錠操作により、該操作に追随して回動する第１回転子と、
前記第２施錠ユニットに配置される第２回転子と、
前記第１回転子及び前記第２回転子に掛け渡され、前記第１回転子と前記第２回転子とを連動させるワイヤと、
前記第２回転子の室内側に同軸に独立して回動可能に設けられる連動切替板と、
前記第２回転子の回動軸から離隔した位置に弾性部材により室内方向に付勢されるように取り付けられる接触子と、
前記連動切替板の前記接触子に対応する部位に設けられる貫通孔と、
さらに前記連動切替板の室内側に、前記接触子先端部の回動の軌跡に対応する位置に室内外方向に傾斜面を有するカム部と、を備え、
前記接触子が前記貫通孔に差し込まれることにより、前記第２回転子と前記連動切替板とが係合する連動状態と、
前記接触子が、カム面により前記回動にともない室外側へ押し戻され、前記貫通孔から離脱可能となり、前記第２回転子と連動切替板とが独立回動可能である非連動状態と、
により前記第１施錠ユニット及び前記第２施錠ユニットの連動、非連動を制御することを特徴とする請求項１又は２のいずれか一項に記載の施錠装置。
【請求項４】
前記一対の施錠ユニットが、
いずれか一方の前記施錠ユニットの室内側からの解錠操作を介して他方の前記施錠ユニットの解錠を可能とする室内側解錠連動機構を備える、請求項１〜３のいずれか一項に記載の施錠装置。
【請求項５】
前記室内側解錠連動機構が、
前記第２回転子の回動軸に設けられた貫通孔と、
前記第２回転子と同軸で、施解錠操作により前記軸を中心に回動する断面形状の異なる室内外方向に並んだ一対の柱状体と、を備え、
前記一対の柱状体のうちの一方が前記第２回転子の前記貫通孔の内側に配置されたときには前記第２回転子と前記柱状体とが連動して回動しない非連動状態となり、
前記一対の柱状体のうちの他方が前記第２回転子の前記貫通孔の内側に配置されたときには前記第２回転子と前記柱状体とが連動して回動する連動状態となることを特徴とする請求項４に記載の施錠装置。
【請求項６】
請求項１〜５のいずれか一項に記載の施錠装置を備えることを特徴とする開口部装置。
【発明の詳細な説明】
【技術分野】
【０００１】
本発明は、施錠装置及び該施錠装置を備える開口部装置に関し、特に防犯性を維持しつつ操作性を容易に向上させることが可能な施錠装置、及び該施錠装置を備える開口部装置に関する。
【背景技術】
【０００２】
わが国は世界に冠たる治安の安定した国であるが、一方で、賊が住宅に侵入して金品を奪い去るという犯罪も後を絶たない。かかる賊は、いわゆるサムターン回しやピッキング等の手口により、室外から進入することが知られている。そのため、近年では、玄関扉に複数の錠を設ける等の方法により、防犯対策がされている。なお、玄関扉に設けられる錠は、室外側から操作されるシリンダー錠と、玄関扉の内部に配設される錠箱とを備え、室内側からはサムターン等の操作手段を介して錠箱の施解錠を行うのが通常である。
【０００３】
このように、玄関扉等に複数の錠を備えることで防犯性を向上させると、従来の装置において、該扉の施解錠操作は、複数の錠のそれぞれに対して行う必要があり、防犯性の向上は達せられる一方で、施解錠操作が煩雑になるという問題があった。
【０００４】
かかる問題を解決するため、特許文献１には、室内側に設けられた１つのサムターンと、扉内に設けられた２つの錠箱と、室外側に設けられた２つのシリンダー錠とを備えた施錠装置に関する技術が開示されている。かかる技術によれば、錠箱及びシリンダー錠の構造を工夫することで、複数箇所でのロックが可能になり、室内側からは容易に施解錠操作ができ、室外側からは容易には解錠ができない施錠装置が提供されるとしている。なお、特許文献１にかかる施錠装置では、室外側から２つのシリンダー錠を解錠操作する際に、一定の順番に従う必要がある。
【０００５】
【特許文献１】特開２００１−１６４９０６号公報
【発明の開示】
【発明が解決しようとする課題】
【０００６】
しかし、特許文献１に開示されている施錠装置によれば、賊ではない住人等が室外側から解錠操作する場合にも一定の手順に従う必要があるため、操作性向上の度合いが不十分であるという問題があった。
【０００７】
そこで、本発明は、防犯性を維持しつつ操作性を容易に向上させることが可能な施錠装置及び該施錠装置を備える開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、シリンダー錠（１、５１）、錠箱（１０、６０）及び室内側ユニット（２０、７０）が室外側からこの順に配置されるとともに、室内側及び室外側のいずれの側からも施解錠が可能である一対の施錠ユニット（４０、９０）と、一対の施錠ユニットに具備され、いずれか一方の施錠ユニットの室外側からの施錠操作を介して他方の施錠ユニットの施錠を可能とする連動状態と、いずれか一方の施錠ユニットの室外側からの解錠操作を介しても他方の前記施錠ユニットの解錠が不可能である非連動状態とを切り替え可能とする切替機構とを備えることを特徴とする施錠装置（１００）を提供することにより前記課題を解決する。
【００１０】
ここに、請求項１に記載の切替機構（第１回転子（２１）、第２回転子（７１）、接触子（７５）、連動切替板（７６）、カム面（７７Ｊ）、ワイヤ（９５）、）は、一対の施錠ユニット（４０、９０）を機械的な構造を介して連動させることを指し、電気的な制御により連動させる手段は含まない概念である。また、室内操作手段（２２、７２）の機械的操作とは、例えば、前後動や上下動、回動による操作を意味している。さらに本発明にかかる室内操作手段の形態は特に限定されるものではなく、その具体的な形態としては、回動操作が可能なサムターン形態を挙げることができる。加えてシリンダー錠（１、５１）及び錠箱（１０、６０）の形態も特に限定されるものではなく、例えば、スイング型の扉等に使用され得る形態の従来のシリンダー錠（１、５１）、錠箱、及び従来のガードアームロック型の錠箱等を使用することが可能である。
【００１１】
請求項２に記載の発明は、請求項１に記載の発明が、切替機構はいずれか一方の施錠ユニットの室内側からの施錠操作を介して他方の施錠ユニットの施錠を可能とすることを特徴とする。
【００１２】
請求項３に記載の発明は、請求項１又は請求項２のいずれか一項に記載の施錠装置（１００）において、一対の施錠ユニット（４０、９０）は、第１施錠ユニット（４０）と第２施錠ユニット（９０）とを有し、切替機構（第１回転子（２１）、第２回転子（７１）、接触子（７５）、連動切替板（７６）、カム面（７７Ｊ）、ワイヤ（９５））は、第１施錠ユニット（４０）に配置され、第１施錠ユニット（４０）の施解錠操作により、該操作に追随して回動する、第１回転子（２１）と、第２施錠ユニット（９０）に配置され、第１回転子（２１）の回動に連動して回動をする、第２回転子（７１）と、第１回転子（２１）及び第２回転子（７１）に掛け渡され、第１回転子（２１）と第２回転子（７１）とを連動させる、ワイヤ（９５）と、第２回転子（７１）の室内側に同軸に独立して回動可能に設けられた、連動切替板（７６）と、第２回転子（７１）の回動軸から離隔した位置に弾性部材により室内方向に付勢されるように取り付けられる、接触子（７５）と、連動切替板（７６）の接触子（７５）に対応する部位に設けられる、貫通孔（７６Ｇ）と、さらに連動切替板（７６）の室内側に、接触子（７５）先端部の回動の軌跡に対応する位置に室内外方向に傾斜面を有するカム部（７７Ｈ）と、を備え、接触子（７５）が貫通孔（７６Ｇ）に差し込まれることにより、第２回転子（７１）と連動切替板（７６）とが係合する、連動状態と、接触子（７５）が、カム面（７７Ｊ）により、回動にともない室外側へ押し戻され、貫通孔（７６Ｇ）から離脱可能となり、第２回転子（７１）と連動切替板（７６）とが独立回動可能である、非連動状態と、により第１施錠ユニット（４０）及び第２施錠ユニット（９０）の連動、非連動を制御することを特徴としている。
【００１３】
請求項４に記載の発明は、請求項１〜３のいずれか一項に記載の施錠装置の一対の施錠ユニット（４０、９０）が、いずれか一方の施錠ユニットの室内側からの解錠操作を介して他方の施錠ユニットの解錠を可能とする室内側解錠連動機構を備える。
【００１４】
ここに、請求項４に記載の室内側解錠連動機構（室内側解錠連動切替子（８０）、室内側解錠連動子（８１））は、一対の施錠ユニット（４０、９０）を機械的な構造を介して連動させることを指し、電気的な制御により連動させる手段は含まない概念である。また、室内操作手段（２２、７２）の機械的操作とは、例えば、前後動や上下動、回動による操作を意味している。
【００１５】
請求項５に記載の発明は、請求項４に記載の施錠装置の室内側解錠連動機構が、第２回転子（７１）の回動軸に設けられた貫通孔（７１Ｅ）と、第２回転子と同軸で、施解錠操作により軸を中心に回動する断面形状の異なる室内外方向に並んだ一対の柱状体（８０Ｂ、８１Ａ）とを備え、一対の柱状体のうちの一方が第２回転子の貫通孔の内側に配置されたときには第２回転子と柱状体とが連動して回動しない非連動状態となり、一対の柱状体のうちの他方が第２回転子の貫通孔の内側に配置されたときには第２回転子と前記柱状体とが連動して回動する連動状態となることを特徴とする。
【００１６】
請求項６に記載の発明は、請求項１〜５のいずれか一項に記載の施錠装置（１００）を備えることを特徴とする、開口部装置（１０００）により前記課題を解決する。
【００１７】
ここに、本発明にかかる開口部装置（１０００）の形態は、施錠装置（１００）を備えることが可能であれば、特に限定されるものではない、その形態の具体例としては、スイング型の玄関、勝手口、又は通用口等を挙げることができる。また、開口部装置（１０００）を挟んだ室内外が屋内外の関係である必要はなく、部屋同士を仕切る開口にある扉や、部屋と廊下とを仕切る開口に備えられる扉等であってもよい。
【発明の効果】
【００１８】
請求項１に記載の発明によれば、一対の施錠ユニットが備えられている施錠装置において室外側からシリンダー錠を操作して施錠する場合、いずれか一方のシリンダー錠を操作すれば、他方の施錠ユニットも施錠することができる。これは、複数の施錠ユニットが存在するにもかかわらず、１回の施錠操作で全ての施錠ユニットの施錠が完了することを意味し、操作者の利便性向上に大きな効果をもたらす。施錠の連動はその性質上、賊などが施錠操作を行うことは考え難いので、防犯性を低下させることはない。一方、室外側からシリンダー錠を操作して解錠する場合は、複数のシリンダー錠全てのシリンダー錠を解錠操作しないと、施錠装置の解錠は完了しない。これは、解錠完了のためには複数の操作を必要とすることを意味し、防犯性に大きな効果をもたらす。従って、請求項１に記載の発明によれば、防犯性を維持しつつ操作性を向上させることが可能な施錠装置を提供できる。
【００１９】
請求項２の発明によれば、一対の施錠ユニットが備えられている施錠装置において、室内側からサムターン等を操作して施錠する場合、いずれか一方のサムターンを操作すれば、他方の施錠ユニットも施錠できる。これは、複数の施錠ユニットがあるにもかかわらず、室内側からでも１回の施錠操作で全ての施錠ユニットの施錠が完了することを意味し、使用者の利便性向上に大きな効果をもたらす。この場合も施錠の連動は、その性質上、賊などが施錠操作を行うことは考え難いので防犯性を低下させることはない。従って、請求項２に記載の発明によれば、防犯性を維持しつつ操作性を向上させることが可能な施錠装置を提供することができる。
【００２０】
請求項３の発明によれば、施錠装置の施解錠操作が本発明の施錠装置の連動、非連動の切替機構の各部材を適切に動作させ、施錠装置の連動及び非連動を制御している。この切替機構は、該切替機構に含まれる上記部材において、接触子が連動切替板の貫通孔に差し込まれた状態でカム面に接しているときに、接触子が、第２回転子と連動切替板とを係合し、第２回転子と連動切替板を連動して回動させる。また、該回動方向に沿って、カム面が、接触子を室外側（接触子を連動切替板の貫通孔から抜く方向）へ押し戻す傾斜を有しているので、接触子は、回動によって室外方向へ押し戻され、貫通孔から離脱可能な状態となる。この状態においては、第２回転子と連動切替板は係合が解かれ、互いに独立に回動する状態となる。
【００２１】
このように、本発明の施錠装置の連動、非連動切替機構は、施解錠の状態によって、機械的にかつ自動的に連動及び非連動状態が選択される構造となっている。よって、操作者が連動又は非連動を選択するための特別な操作を必要としないので利便性を損なうことなく、施解錠の操作性を向上させることができる。さらに、連動及び非連動を決定するための構成部材が少ないことにより、簡易的かつ確実に連動及び非連動状態を実現できる。従って、請求項３の発明によれば、簡易的かつ確実に第１施錠ユニット及び第２施錠ユニットを連動させて確実な操作性向上及び防犯性維持が可能な施錠装置を提供することができる。
【００２２】
請求項４の発明によれば、さらに室内側から解錠も連動して行うことができる。これにより使用者の利便性をさらに向上させることができる。さらには、この解錠連動は、室外側からは行うことができないので、室外側からの解錠は、施錠ユニットごとに行う必要があり、防犯性が維持される。従って、防犯性を維持することができるとともに、利用者の利便性に優れた施錠装置を提供することができる。
【００２３】
請求項５の発明によれば、連動と非連動とを室内側の操作により容易に選択することができ、簡易的で確実に室内側の解錠を連動させることができ、利用者に利便性に優れた施錠装置を提供することができる。
【００２４】
請求項６の発明によれば、防犯性を維持しつつ操作性を容易に向上させる施錠装置が備えられているので、防犯性を維持しつつ操作性を容易に向上させることが可能な開口部装置を提供することができる。
【００２５】
本発明のこのような作用及び利得は、次に説明する発明を実施するための最良の形態から明らかにされる。
【発明を実施するための最良の形態】
【００２６】
以下本発明を図面に示す実施形態に基づき説明する。なお、以下の説明では、室内操作手段を「サムターン」と記述することがある。
【００２７】
１．施錠装置及び開口部装置の構造
図１は、本発明の施錠装置１００を備える建物の開口部装置１０００を概略的に示す正面図である。図１（Ａ）は、開口部装置１０００を室外側から見た正面図であり、図１（Ｂ）は、開口部装置１０００を室内側から見た正面図である。
【００２８】
図１（Ａ）に示すように、開口部装置１０００の室外側には、室外側把手２の上下に第１シリンダー錠１及び第２シリンダー錠５１が備えられている。室外側からの施解錠操作は、第１シリンダー錠１及び第２シリンダー錠５１を操作することにより行う。そして、シリンダー錠１、５１にそれぞれ備えられている第１及び第２錠箱１０、６０（図２参照）が解錠されると、例えば、室外側把手２を掴んで扉を紙面手前方向に回動させる等の方法により、扉を室外側へ開くことが可能となる。また、図１（Ｂ）に示すように、開口部装置１０００の室内側には、室内側把手３の上下に第１室内側ユニット２０及び第２室内側ユニット７０が備えられている。第１及び第２室内側ユニット２０、７０は、それぞれ第１及び第２サムターン２２、７２が備えられており、該サムターン２２、７２の状態により、施解錠の状態を視覚的に認識できるようになっている。室内側からの施解錠操作は、第１サムターン２２又は第２サムターン７２を操作することにより行う。そして、室内側ユニット２０、７０にそれぞれ連動している第１及び第２錠箱１０、６０（図２参照）が解錠されると、例えば、室内側把手３を掴んで扉を紙面奥の方向へ回動させる等の方法により、扉を室外側へ開くことが可能となる。本発明の施錠装置１００は、上記一連の一対の施錠ユニット４０、９０（図２参照）の施解錠操作に関して、従来においては複雑な操作を必要としたことに対し防犯性を維持しつつ簡単な操作で開口部装置１０００の施解錠を可能としたものである。
【００２９】
図２は、施錠装置１００に着目してその形態を概略的に示した室内側斜視図である。理解を容易にするため図２では、本発明の主要部分と直接関係しない箇所は適宜省略し、施錠ユニット４０、９０の主要な構成要素を適宜透視して示している。図示の開口部装置１０００は、マンション等に代表される集合住宅の玄関等に好適に使用されるスイング型の玄関扉を備える開口部装置１０００であり、当該玄関扉に施錠装置１００が備え付けられている。
【００３０】
施錠装置１００は、第１施錠ユニット４０と第２施錠ユニット９０とを備えている。第１施錠ユニット４０は、図１に示した室外側に設けられた第１シリンダー錠１と、扉の内部に設けられ第１デッドボルト１２を備えた第１錠箱１０と、該第１錠箱１０の室内側に設けられた第１室内側ユニット２０とを備えている。第２施錠ユニット９０は、図１に示した室外側に設けられた第２シリンダー錠５１と、扉の内部に設けられ第２デッドボルト６２を備えた第２錠箱６０と、該第２錠箱６０の室内側に設けられた第２室内側ユニット７０とを備えている。図２からわかるように、第１室内側ユニット２０及び第２室内側ユニット７０の外観は類似している。これにより、施錠ユニット間で統一した印象を与え、意匠的にも優れた施錠ユニット４０、９０とすることができる。第１及び第２室内側ユニット２０、７０の詳細な構造及び、各部材の関係は後で説明する。
【００３１】
図３は、第１室内側ユニット２０及び第２室内側ユニット７０の各構成部材の配置形態を概略的に示す分解斜視図である。図３では紙面左が室外側、紙面右が室内側を示している。第１室内側ユニット２０は、室外側から室内方向に、第１固定部材２４と、第１回転子２１と、第１サムターンカラー２７と、第１サムターン２２とをこの順に主要部材として備えている。一方、第２室内側ユニット７０は、室外側から室内方向に、第２固定部材７４と、第２回転子７１と、室内側解錠連動切替子８０と、接触子７５と、連動切替板７６と、室内側解錠連動子８１と、第２サムターンカラー７７と、第２サムターン７２とを主要部材としてこの順に備えている。さらに環状のワイヤ９５が備えられ、第１回転子２１と第２回転子７１とが掛け渡して取り付けられている。
【００３２】
第１固定部材２４は、略円板状の部材で、左右両端部に配置された突出部に設けられた貫通孔２４Ｂ、２４Ｃと、中央に設けられた貫通孔２４Ｅと、該貫通孔２４Ｅの左右のそれぞれに設けられた貫通孔２４Ｆ、２４Ｇとを備え、さらに下部には溝部２４Ｈを有している。第１回転子２１も、略円板状の部材で、平板部２１Ａと、中央に貫通孔２１Ｅが設けられた筒状部２１Ｃとを有し、さらに厚みを形成する側面に沿って溝２１Ｄが刻設されている。また、第１サムターンカラー２７も略円板上の部材で、左右両端部に設けられた貫通孔２７Ｂ、２７Ｃと、中央に設けられた貫通孔２７Ｅとを備えている。そして第１サムターン２２は、棒状の連動部２２Ｅと、該連動部２２Ｅを中心に配置した摘み２２Ａとを有している。
【００３３】
第２固定部材７４は、略円板状の部材で、左右両端部に配置された突出部に設けられた貫通孔７４Ｂ、７４Ｃと、中央に設けられた貫通孔７４Ｅと、該貫通孔７４Ｅの左右のそれぞれに設けられた貫通孔７４Ｆ、７４Ｇとを備え、さらに上部には溝部７４Ｈを有している。第２回転子７１も、略円板状の部材で、平板部７１Ａと、該平板部７１Ａの中央に貫通孔７１Ｅを有する筒状部７１Ｃと、平板部７１Ａの中心から該平板部７１Ａの半径方向に離隔して配置され、室内側に開口した貫通していない孔７１Ｇを有する接触子挿入部７１Ｆとを備え、さらに厚みを形成する側面に沿って溝７１Ｄが刻設されている。室内側解錠連動切替子８０は、２つの断面形状の異なる筒体が室内外方向にその端部をつないで一体に形成された部材であり、室外側（図３紙面左側）が錠箱連結部８０Ａ、室内側が空転部８０Ｂである。断面形状及び他の部材との関係は後で示す。
【００３４】
接触子７５は、円柱状の部材で、室内側端部が円錐状に形成されている。連動切替板７６は、円板状の部材で、中央に設けられた貫通孔７６Ｅと、第２回転子７１の孔７１Ｇに対応する位置に設けられた貫通孔７６Ｇとを備えている。
【００３５】
さらに第２室内側ユニット７０の構成要素について説明を継続する。次に説明する室内側解錠連動子８１と、第２サムターンカラー７７と、第２サムターン７２とは、図４を参照しつつ説明する。図４は、図３とは反対側の視点から第１室内側ユニット２０及び第２室内側ユニット７０の各構成部材を示す分解斜視図である。従って、図４では紙面左が室内側、紙面右が室外側を示している。室内側解錠連動子８１は、２つの断面形状の異なる筒体が室内外方向にその端部をつないで一体に形成された部材であり、室外側（図４紙面右側）が、空転部８０Ｂの断面形状と略同じ断面形状を有する孔８１Ｃが設けられた回転子連結部８１Ａ、室内側が後述する第２サムターン７２の棒状部７２の断面形状と略同一な断面形状を有する孔８１Ｄ（図３参照）が設けられたサムターン連結部８１Ｂである。また、連動子連結部８１Ａに設けられた孔８１Ｃの内側には不図示のばねが挿入されている。第２サムターンカラー７７は、室内側に底部を有する断面が略円形の筒状体で、底部中央に備えられた貫通孔７７Ｅと、左右端部に設けられた貫通孔７７Ｂ、７７Ｃと、底部で連動切替板７６の貫通孔７６Ｇの回動の軌跡に沿って位置し、室内外方向に傾斜を有するカム面７７Ｊとが一体に形成されている。カム面７７Ｊは、図４にＰで示した部位で最も室内側で、Ｑで示した部位で最も室外側である。第２サムターン７２は、室内側解錠連動子８１の孔８１Ｄと略同一の断面形状を有する棒状の連動部７２Ｅと、該連動部７２Ｅが中心に配置された摘み７２Ａとを有している。
【００３６】
次に、第２回転子７１に備えられた貫通孔７１Ｅ、室内側解錠連動切替子８０の空転部８０Ｂ、及び室内側解錠連動子８１の回転子連結部８１Ａの断面形状及び大きさを図５〜図７に示す。図５は、貫通孔７１Ｅの横断面を示したものである。貫通孔７１Ｅの横断面は、２つの径の異なる同心円の一部が９０度の角度で交互に配置された形状を有している。従って図５にIで示した直径、及びIIで示した直径の円が組み合わされているような形態である。図６は、空転部８０Ｂの横断面である。空転部８０Ｂの横断面は円と該円の外周部に突出して配置される２つの突起が組み合わされて形成されている。従って空転部８０Ｂの断面において最も大きい距離は図６にIIIで示した突起の最外部間の距離である。このIIIで示した距離は、図５に示した貫通孔７１ＥのうちIIで示した直径よりも小さくされている。従って後述するように、空転部８０Ｂが貫通孔７１Ｅの内側に同軸に配置された場合には、空転部８０Ｂは、貫通孔７１Ｅの内側を該貫通孔７１Ｅの干渉を受けずに回動することができる。
【００３７】
図７は、回転子連結部８１Ａの横断面図である。回転子連結部８１Ａは上述のように、空転部８０Ｂと略同一の断面形状を有する孔８１Ｃを備えている。また、回転子連結部８１Ａの断面の外形形状は連動切替板７６の貫通孔７６Ｅ及び第２回転子７１の貫通孔７１Ｅと略同一である。従って、図７にIVで示した直径は図５に示した直径Iと略同一であり、図７にVで示した直径は図５にIIで示した直径と略同一である。よって後述するように、孔８１Ｃの内側には空転部８０Ｂを挿入することができるとともに、回転子連結部８１Ａを第２回転子７１の貫通孔７１Ｅに挿入することが可能で、このときには室内側解錠連動子８１と第２回転子７１は連動して回動することができる。
【００３８】
次に、孔７１Ｇ、貫通孔７６Ｇ、接触子７５及びカム面７７Ｊの構成についてさらに詳しく説明する。図３及び図４において、孔７１Ｇ及び貫通孔７６Ｇは、第２回転子７１及び連動切替板７６の回動軸（同軸）から半径方向に距離が等しい位置に配置されている。従って、第２回転子７１又は連動切替板７６が回動し、所定の位置に達したとき、孔７１Ｇと貫通孔７６Ｇとは、室内外方向に一致するように配置することができる。また、接触子７５が、弾性部材７１Ｈ（図８参照）とともに孔７１Ｇに室内方向に付勢された状態で、挿入される。従って、孔７１Ｇと貫通孔７６Ｇとが室内外方向に一致して配置されたとき、接触子７５は、貫通孔７６Ｇに差し込まれる。
【００３９】
カム面７７Ｊは、上述のように差し込まれた接触子７５の回動の軌跡に沿った位置に配置され、室内外方向に傾斜を有している。カム面７７Ｊの傾斜は、図４にＰで示した部位で最も室内側、図４にＱで示した部位で最も室外側となるように形成されている。またＰで示された部位はカム面７７Ｊのうち最も高い位置に配置され、貫通孔７７Ｅの鉛直上方に設けられている。また、Ｑで示された部位は、室外側を向いて、Ｐで示された部位から反時計回りに９５度回転した位置にある。Ｐで示された部位とＱで示された部位の間は、連続的に傾斜している。第２回転子７１、接触子７５、連動切替板７６、カム面７７Ｊは、第１及び第２施錠ユニット４０、９０の連動、非連動を決定するものである。これら部材の詳細な構造及び動作方法は、後で説明する。
【００４０】
次に、上述した施錠装置１００の各構成要素の配置を示す。図３及び図４において、第１室内側ユニット２０の第１錠箱１０の室内側への配置は例えば以下のように行われる。ねじ２９ｆ、２９ｇが、対応する貫通孔２４Ｆ、２４Ｇ、を介して室外側に配置された第１錠箱１０（図２参照）に取り付けられ、第１固定部材２４が第１錠箱１０に固定される。第１サムターン２２の連動部２２Ｅが、貫通孔２７Ｅ、貫通孔２１Ｅ、貫通孔２４Ｅ、及び第１錠箱１０に備えられた駆動子を室内側からこの順に通される。そして、ねじ２８ｂ、２８ｃが、対応する貫通孔２７Ｂ、２７Ｃ、２４Ｂ、２４Ｃを介して取り付けられることにより、第１室内側ユニット２０が組み立てられる。
【００４１】
一方、第２室内側ユニット７０を第２錠箱６０（図２参照）の室内側への配置は、例えば次のように行われる。ねじ７９ｆ、７９ｇが対応する貫通孔７４Ｆ、７４Ｇ、６０Ｆ、６０Ｇを介して室外側に配置された第２錠箱６０に取り付けられ、第２固定部材７４が第２錠箱６０に固定される。室内側解錠連動切替子８０の錠箱連結部８０Ａが第２錠箱６０に備えられた駆動子に連結されるとともに空転部８０Ｂは第２回転子７１の貫通孔７１Ｅに通される。また、連動切替板７６の貫通孔７６Ｅに室内側解錠連動子８１の回転子連結部８１Ａが通され、さらに回動子連結部８１Ａの孔８１Ｃの内側に室内側解錠連動切替子８０の空転部８０Ｂが挿入される。そして、第２サムターン７２の連動部７２Ｅが、貫通孔７７Ｅを介して、室内側解錠連動子８０のサムターン連結部８１に設けられた孔８１Ｄに連結される。次にねじ７８ｂ、７８ｃが、対応する貫通孔７７Ｂ、７７Ｃ、７４Ｂ、７４Ｃを介して取り付けられることにより第２室内側ユニット７０が組み立てられる。
【００４２】
また、ワイヤ９５は、第１回転子２１と第２回転子７１とに溝部２１Ｄ、７１Ｄにより掛け渡されて配置されている。従って、第１回転子２１と第２回転子７１とは常に連動して回動する。
【００４３】
このようにして、第１錠箱１０及び第２錠箱６０の室内側に、第１室内側ユニット２０及び第２室内側ユニット７０が備えられ、第１サムターン２２や第２サムターン７２を操作することにより、室内側から第１錠箱１０及び第２錠箱６０の施解錠操作を行うことが可能になる。
【００４４】
２．第１、第２施錠ユニットの連動・非連動機構
次に、第１施錠ユニット４０と第２施錠ユニット９０の連動・非連動切替機構について説明する。本発明の施錠装置１００には、２系統の連動・非連動切替機構が備えられている。
【００４５】
２−１．連動切替板を利用した連動・非連動切替機構
はじめに連動切替板７６を利用した連動・被連動切替機構について説明する。図３、図４に示した各構成要素のうち、連動切替板を利用した連動・非連動切替機構は、第１室内側ユニット２０の第１回転子２１と、第２室内側ユニット７０の第２回転子７１と、連動切替板７６と、接触子７５と、カム面７７Ｊと、ワイヤ９５と、の関係により連動と非連動の切替を行う。
【００４６】
第１回転子２１と第２回転子７１は、ワイヤ９５によって、常に連動する。また、第１回転子２１は、第１サムターン２２、第１シリンダー錠１及び第１錠箱１０とも常に連動する。従って、第１回転子２１が回動すれば、第１サムターン２２、第１シリンダー錠１、第１錠箱１０及び第２回転子７１も回動する。以上より、第１回転子２１、第１シリンダー錠１、第１錠箱１０及び第２回転子７１はどの部材が回動しても、他の全ての部材が連動して回動する。
【００４７】
一方、第２回転子７１の貫通孔７１Ｅには後述のように空転部８０Ｂが配置され、第２回転子７１は第２サムターン７２、第２シリンダー錠５１及び第２錠箱６０の回動のみによっては直接的には回動しない。従って第２サムターン７２、第２シリンダー錠５１及び第２錠箱６０は、第２回転子７１の回動によって必ずしも回動するとは限らない。連動切替板７６は、室内側解錠連動子８１の回転子連結部８１Ａと略同一形状の貫通孔７６Ｅを有し、室内側解錠連動子８１は、室外側は室内側解錠連動切替子８０を介して第２錠箱６０と、及び室内側はサムターン７２と連結している。従って、連動切替板７６は、第２サムターン７２、第２シリンダー錠５１及び第２錠箱６０の回動により常に回動する。よって、連動切替板７６、第２サムターン７２、第２シリンダー錠５１及び第２錠箱６０は、これら部材のうちいずれか１つの回動によって、これら部材のいずれの部材も回動する。
【００４８】
以上より、連動切替板７６と第２回転子７１は、回転軸の作用のみでは、互い連動せず独立に回動することが可能である。この連動切替板７６と第２回転子７１との連動と非連動との切替を行うのが連動切替板を利用した連動・非連動切替機構である。
【００４９】
また、接触子７５は上述のように、弾性部材７１Ｈ（図８参照）とともに孔７１Ｇに室内方向に付勢された状態で挿入されている。従って、孔７１Ｇと貫通孔７６Ｇとが室内外方向に一致して配置されたとき、接触子７５は貫通孔７６Ｇに差し込まれ、それ以外の場合には接触子７５は、貫通孔７６Ｇに差し込まれず、連動切替板７６の第２回転子７１側の面に接して配置されている。この接触子７５と孔７６Ｇとの位置関係が連動と非連動とを決定する。また、カム面７７Ｊは、上述のように、接触子７５が差し込まれた場合の回動の軌跡に沿った位置に配置され、室内外方向に傾斜を有している。よって、カム面７７Ｊの室内外方向の位置が接触子７５の室内外方向の位置を決めている。従って、第２回転子７１、接触子７５、連動切替板７６及びカム面７７Ｊの相互関係が、施錠装置１００の連動、非連動を制御している。次に、具体的にこの機構における各部材の相互関係について説明する。
【００５０】
図８（Ａ）は、第２回転子７１と連動切替板７６、接触子７５及びカム面７７Ｊの、鉛直方向の断面図である。図８（Ａ）は、接触子７５の位置と貫通孔７６Ｇの位置が一致し、さらにカム面７７Ｊが図４にＰで示した部位であるときの各部材の位置関係を示したものである。図８（Ａ）は鉛直方向の断面図であるが、以下の図の説明では、各部材は適宜回動されるので、これに対応する断面の図となる。図８（Ａ）〜（Ｃ）において、接触子７５は弾性部材７１Ｈにより常に紙面右方向に付勢されている。図８（Ａ）では、接触子７５は孔７６Ｇの中に差し込まれているので、第２回転子７１と連動切替板７６は、接触子７５を介して連動して回動する連動状態である。第２回転子７１が連動切替板７６に連動して回動することは、ワイヤ９５を介して、第１回転子２１も回動することを意味する（図３参照）。その結果、図８（Ａ）では、第１、第２サムターン２２、７２、及び第１、第２シリンダー錠１、５１のうちいずれかを操作することにより、第１、第２サムターン２２、７２、及び第１、第２シリンダー錠１、５１の全てを連動して回動させることができる。
【００５１】
図８（Ｂ）は、接触子７５の位置と、貫通孔７６Ｇの位置が一致していない状態を示した図である。接触子７５の位置と、貫通孔７６Ｇの位置が一致していないとき、接触子７５の先端は連動切替板７６の第２回転子７１側の面７６Ｃに接し、第２回転子７１又は連動切替板７６のどちらか一方が回動する場合においても、接触子７５は面７６Ｃ上を摺動するのみであり、他方の第２回転子７１又は連動切替板７６は連動して回動しない（非連動）状態である。この状態では、図３において、第１室内側ユニット２０又は第１シリンダー錠１、５１を回動させることにより第１回転子２１を回動させ、ワイヤ９５を介して第２回転子７１を回動させても連動切替板７６は回動しない。そのため、第２サムターン７１及び第２シリンダー錠５１は回動しない。逆に、第２サムターン７２又は第２シリンダー錠５１を回動させても、連動切替板７６は回動するが第２回転子７１は回動しない。よって、ワイヤ９５に力は伝達せず第１サムターン２２及び第１シリンダー錠１は回動しない。以上のような機構により、第１施錠ユニット４０と第２施錠ユニット９０との連動、非連動が選択される。
【００５２】
次に、図８（Ａ）に示した連動状態から図８（Ｂ）に示した非連動状態へ移行するときの機構を説明する。図８（Ｃ）は、図８（Ａ）に示した状態から第２回転子７１、連動切替板７６及び接触子７５を回動させ、接触子７５がカム面７７Ｊに沿って移動し、図４にＱで示した部位へ達したときにおける第２回転子７１、連動切替板７６、接触子７５及びカム面７７Ｊの位置関係を示した図である。このとき、Ｑで示された部位におけるカム面７７Ｊは、カム面７７Ｊの中で最も室外側にあるので、図８（Ｃ）に示した状態における接触子７５は、図８（Ａ）で示した状態における接触子７５に比べて、室外側（紙面左側）に押し戻された状態にある。接触子７５は、図８（Ｃ）に示すように、端部に円錐部７５Ｂを備えている。また、孔７６Ｇは、第２回転子７１側に面取りが施されており、第２回転子７１側に開くような形で傾斜面を有する。図８（Ｃ）に示した状態から、第２回転子７１又は連動切替板７６を回動させる（第２回転子７１を回動させるとは、これに連動している第１サムターン又は第１シリンダー錠を回動操作することを意味し、一方、連動切替板７６を回動させるとは、これに連動している第２サムターンや第２シリンダー錠を回動操作することを意味する。）と、接触子の円錐部７５Ｂの斜面と、孔７６Ｇの面取りの斜面とが接触する。このとき、この斜面同士の接触にかかる回動方向に移動するための抵抗力を、第２回転子７１又は連動切替板７６が軸回動するために必要な力よりも小さくするように円錐部７５Ｂ及び孔７５Ｇの面取りの斜面の角度等を設定しておく。これにより、図８（Ｃ）のように接触子７５が孔７６Ｇの中にある場合でも、第２回転子７１又は連動切替板７６が回動し、接触子７５が貫通孔７６Ｇ内に留まらずに孔７６Ｇから脱して非連動状態（図８（Ｂ））に至る。
【００５３】
本実施形態では、接触子７５の先端に円錐部７５Ｂ、貫通孔７６Ｇに面取り斜面を設定することにより接触子７５を貫通孔７６Ｇから離脱可能にしたが、離脱可能にする目的を達すれば他の方法によっても良く、例えば接触子７５の先端を円錐ではなく球面にすることにより、又は連動切替板７６を強度が許容する範囲で可能な限り薄くする等の方法によって離脱可能にしても良い。
【００５４】
以上のように、第２回転子７１、接触子７５、連動切替板７６、及びカム面７７Ｊの関係により連動及び非連動が制御されている。
【００５５】
２−２．室内側解錠連動子を利用した連動・非連動切替機構
次に、２つの連動・非連動切替機構のうちのもう一方の切替機構である室内側解錠連動子８１を利用した連動・非連動切替機構について説明する。当該室内側解錠連動子８１を利用した連動・非連動切替機構は、図３、図４に示した各構成要素のうち、第１室内側ユニット２０の第１回転子２１と、第２室内側ユニット７０の第２回転子７１と、室内側解錠連動切替子８０と、室内側解錠連動子８１と、ワイヤ９５との関係により連動と非連動との切替を行う。ここで第１回転子２１、第２回転子７１、ワイヤ９５は、上述の連動切替板７６を利用した連動・非連動切替機構と共通の部材である。
【００５６】
加えて、室内側解錠連動子８１を利用した切替機構において、第１サムターン２２、第１回転子２１、第１錠箱１０及び第１シリンダー錠１が常に連動状態にあること、そして第１回転子２１と第２回転子とがワイヤ９５により常に連動状態であることは上述の連動切替板７６を利用した切替機構と同じである。また、第２サムターン７２、連動切替板７６、室内解錠連動子８１、室内側解錠連動切替子８０、第２錠箱６０、及び第２シリンダー錠５１が常に連動して回動することも上述と同じである。また、第２回転子７１は、室内側解錠連動子８１の状態により必ずしも第２サムターン７２と連動するとは限らない。室内側解錠連動子８１を利用した切替機構は、このように室内側解錠連動子８１の状態により第１施錠ユニット２０と第２施錠ユニット７０との連動・非連動を切り替える機構である。
【００５７】
図９は、室内側解錠連動子８１を利用した切替機構の連動・非連動状態を説明するための斜視図である。理解しやすさのため、説明に要する部材のみに着目し、また第２回転子７１のみは鉛直方向半分のみを示している。図９（Ａ）は、通常の状態を示した図である。上述のように、室内側解錠連動切替子８０の錠箱連結部８０Ａは、第２錠箱６０と連結し、空転部８０Ｂの室内側端部は室内側解錠連動子８１の孔８１Ｃに挿入されている。そして、孔８１Ｃの内側には不図示のばねが備えられているので、室内側解錠連動切替子８０は室外側に付勢されて設置されている。このとき、第２回転子７１の貫通孔７１Ｅの内側には空転部８０Ｂが配置される。貫通孔７１Ｅの断面形状と空転部８０Ｂの断面形状との関係は上述のように互いに干渉しないで回動可能である形状に形成されている。従って、室内側解錠連動切替子８０及び室内側解錠連動子８１と、第２回転子７１とは非連動状態となる。よって、通常の状態では、室内側解錠連動子８１を利用した切替機構によっては、第１施錠ユニット４０と第２施錠ユニット９０とは連動しない。
【００５８】
しかし、次に図９（Ｂ）に直線矢印で示した方向に第２サムターン７２をばねの力に抗して押し込むと第２サムターン７２及び室内側解錠連動子８１は室外方向へ移動する。これにより、室外側解錠連動子８１の回転子連結部８１Ａが第２回転子７１の貫通孔７１Ｅの内側に挿入される。そして最終的に図９（Ｃ）に示した状態となり、室外側解錠連動子８１の回転子連結部８１Ａが第２回転子７１の貫通孔７１Ｅの内側に配置される。回転子連結部８１Ａの断面形状と貫通孔７１Ｅの断面形状とは、上述のように略同一であるので、回転子連結部８１Ａと第２回転子７１とは連動状態となる。従って第２サムターン７２を室外方向に押し込むことにより第１施錠ユニット２０と第２施錠ユニットとを連動状態にすることができる。
【００５９】
また、第２サムターン７２に対する室外方向に押す力を取り除くと室内側解錠連動子８１の孔８１Ｃに備えられたばねの力により、再び非連動状態となる。以上のような各部材の動作により、室内側解錠連動子８１を利用した切替機構で、第１施錠ユニット４０と第２施錠ユニット９０との連動と非連動とを切り替えることができる。
【００６０】
３．施錠装置の施解錠操作
上述のような切替機構を利用し、本実施形態における施解錠の連動状態を、以下に場合分けして示す。以下、図１０〜図１５において、回動の方向を円弧状の矢印で示す。その際、操作者等の操作により直接的に回動をすることを示す矢印は、実線で、該操作により連動して回動すること示す矢印は、破線で示す。また、第１施錠ユニット４０及び第２施錠ユニット９０の「施錠」状態、「解錠」状態の別を以下の記述中で示す他、理解を助けるために図中においても「施錠」及び「解錠」の表示をした。
【００６１】
３−１．連動切替板を利用した連動・非連動切替機構による施解錠操作
図１０〜図１４で、連動切替板を利用した連動・非連動切替機構による施解錠操作について説明する。このとき、第２サムターン７２は室外方向には押し込まれていない。従って第２回転子７１の貫通孔７１Ｅの内側には空転部８０Ｂが配置され、室内側解錠連動子８１によっては連動していない。よってこの場合、空転部８０Ｂは貫通孔７１Ｅの内側で回動しているが、連動切替板を利用した連動・非連動切替機構による施解錠操作にはなんら影響を及ぼさない。
【００６２】
図１０（Ａ）〜（Ｃ）は、第１施錠ユニット４０及び第２施錠ユニット９０の両方が解錠状態にあり、第１サムターン２２を利用して施錠する場合における、各施錠ユニットの主要部の状態を模式的に示した図である。この図は、図４において、室内側から室外側を向いて第１サムターン２２を反時計回りに回したときに施錠がされるという例である。図１０（Ａ）〜（Ｃ）の各図は、上段に第１回転子２１、中段に第２回転子７１及び第２回転子７１の孔７１Ｇに差し込まれた接触子７５、下段に連動切替板７６を有している。また、第１回転子２１と第２回転子７１を連動させているワイヤ９５も示した。さらに、カム面７７Ｊを連動切替板７６の中に破線で示した。カム面７７ＪのＰで示された部位はカム面７７Ｊの面が最も室内側である部位、カム面７７ＪのＱで示された部位はカム面７７Ｊの面が最も室外側である部位である。最初、図１０（Ａ）のように、第１施錠ユニット４０及び第２施錠ユニット９０が、共に解錠状態にあるときに、各部材が図８（Ａ）の配置となるように設定しておく。この状態から、第１サムターン２２を反時計回りに回動させると、第１サムターン２２の動きに追随して第１回転子２１も反時計回りに回動し、さらに第１錠箱１０、第１シリンダー錠１も追随して回動し、第１施錠ユニット４０は施錠状態となる。一方、第２回転子７１は、ワイヤ９５を介して第１回転子２１の反時計回りに連動して反時計回りに回動する。このとき、連動切替板７６は図８（Ａ）に相当する状態にあるので連動状態にあり、連動切替板７６は第２回転子７１に連動して反時計回りに回動する。さらに、連動切替板７６は第２サムターン７２及び第２錠箱６０、第２シリンダー錠５１と連動しているので、第２施錠ユニット９０は連動切替板７６が反時計回りに回動することにより、施錠状態へと推移する（図１０（Ｂ））。
【００６３】
以上のように、第１施錠ユニット４０及び第２施錠ユニット９０が共に解錠状態にあるときは、第１サムターン２２の施錠操作のみによって、他の全ての施錠ユニットは施錠状態となる。また、第１及び第２施錠ユニット４０、９０の施錠操作が完了し、第１及び第２施錠ユニット４０、９０の両方が施錠状態となると、各部材は図１０（Ｃ）の状態になる。施錠操作中に接触子７５は、カム面７７ＪをＰで示された部位からＱで示された部位へ移動するので、接触子７５は室外方向（図１０の紙面奥方向）に押され、図１０（Ｃ）では、図８（Ｃ）に相当する状態となる。従って、施錠操作が完了することにより、第２回転子７１と連動切替板７６は非連動状態となり得る。
【００６４】
以上に、第１及び第２施錠ユニット４０、９０が共に解錠している状態から、第１サムターン２２を施錠操作することにより、第１及び第２施錠ユニット４０、９０を施錠操作する例を示したが、第１サムターン２２を操作する代わりに、第２サムターン７２、第１シリンダー錠１、又は第２シリンダー錠５１のいずれを操作しても、同じ結果を得ることができる。従って、第１及び第２施錠ユニット４０、９０が共に解錠している状態においては、室内側、室外側を問わず１回の施錠操作で全ての施錠ユニットの施錠が可能である。このことは、施錠という操作が賊等により行われることは考え難く、もっぱら施錠を必要とする住人等により行われる操作であることを考えると、操作回数を減らすことは防犯性を維持しつつ、利便性が向上することを意味する。
【００６５】
次に、第１及び第２施錠ユニット４０、９０が共に施錠状態にある場合から解錠操作をすることを考える。図１１は、図１０（Ｃ）の状態（施錠状態）から、先に第１サムターン２２の操作による解錠操作を行い、次に第２サムターン７２による解錠操作を行うことにより、第１及び第２施錠ユニット４０、９０両方の解錠を行うときの主要部の動きを模式的に示した図である。図中の構成要素及び視点は、図１０と同じである。第１及び第２施錠ユニット４０、９０が施錠状態である図１１（Ａ）では、上述のように、第２回転子７１と連動切替板７６は非連動状態である。この状態から第１サムターン２２を時計回りに回わすことにより解錠操作を行うと、第１サムターン２２の回動に追随して、第１回転子２１が時計方向に回動する。すると、第１回転子２１の回動に追随して、第１錠箱１０及び第１シリンダー錠１も時計回りに回動し、第１施錠ユニット４０の解錠が行われる。このとき、第２回転子７１もワイヤ９５を介して、第１回転子２１の回動に連動して時計回りに回動する。しかし、第２回転子７１と連動切替板７６は非連動状態にあるので、連動切替板７６は第２回転子７１の回動には連動せず停止したままである。従って、連動切替板７６に連結している第２サムターン７２、第２錠箱６０、及び第２シリンダー錠５１も回動せず停止したままである（図１１（Ｂ））。従って、第１サムターン２２を解錠操作することによって、図１１（Ｃ）の状態となり、第１施錠ユニット４０は解錠、第２施錠ユニット９０は施錠を維持するという状態になる。そこでさらに、第２サムターン７２を解錠操作する。図１１（Ｃ）の状態から、第２サムターン７２を時計回りに回動すると、第２サムターン７２に追随して連動切替板７６は時計回りに回動し、さらに第２錠箱６０及び第２シリンダー錠５１も時計回りに回動し、第２施錠ユニット９０が解錠状態になる。このとき、連動切替板７６、接触子７５及び第２回転子７１は、図８（Ｂ）に相当する状態にあり、接触子７５が孔７６Ｇの中に存在しないので第２回転子７１は、連動切替板７６の回動には連動しない。従って、第２サムターン７２の解錠操作によっては、第２施錠ユニット９０のみが動作する（図１１（Ｄ））。
【００６６】
以上のように、第１及び第２施錠ユニット４０、９０が、共に施錠状態にあるときに、室内側から解錠をする場合は、第１サムターン２２及び第２サムターン７２の両方を操作する必要がある。第１サムターン２２及び第２サムターン７２の操作の代わりに、室外側から第１シリンダー錠１及び第２シリンダー錠５１により解錠操作をする場合も全く同じ原理で、第１シリンダー錠１及び第２シリンダー錠５１の両方の操作をすることが必要である。このことは、解錠という操作の性質上、賊等が解錠し難いことが必要なので好ましいことである。最終的に第１及び第２施錠ユニット４０、９０の解錠作業が完了すると、各部材は図１１（Ｅ）の状態となり、これは図８（Ａ）に相当する状態なので連動状態となる。これにより、次に施錠作業を行うときには第１施錠ユニット４０と第２施錠ユニット９０は、図１０に示したように、連動して施錠することができる。
【００６７】
図１１では、先に第１サムターン２２を回動させることにより解錠操作する例を示したが、図１２は、先に第２サムターン７２を回動させ、次に第１サムターン２２を回動させることにより、第１及び第２施錠ユニット４０、９０の両方の解錠操作をするときの、主要部の動きを模式的に示した図である。図１２中の構成要素及び視点は、図１０及び図１１と同じである。第１及び第２施錠ユニット４０、９０が施錠状態である図１２（Ａ）では、上述のように、第２回転子７１と連動切替板７６は非連動状態である。この状態から第２サムターン７２を時計回りに回動させ解錠操作を行うと、第２サムターン７２の回動に追随して連動切替板７６が時計回りに回動する。すると、連動切替板７６の回動に追随して、第２錠箱６０及び第２シリンダー錠５１も時計回りに回動し、第２施錠ユニット９０の解錠が行われる。このとき、第２回転子７１と連動切替板７６とは非連動状態にあるので、第２回転子７１は連動切替板７６の回動によっては回動せず、停止したままである（図１２（Ｂ））。従って、第２サムターン７２を解錠操作することによって、図１２（Ｃ）の状態となり、第２施錠ユニット９０は解錠、第１施錠ユニット４０は施錠を維持するという状態になる。そこで次に第１施錠ユニット４０を解錠するため、第１サムターン２２を時計回りに回して解錠操作を行う。図１２（Ｃ）の状態から、第１サムターン２２を時計回りに回動すると、第１サムターン２２に追随して、第１回転子２１、第１錠箱１０及び第１シリンダー錠１が、時計回りに回動して第１施錠ユニット４０が解錠状態になる。このとき、第１回転子２１の回動に連動して、ワイヤ９５を介して第２回転子７１も回動する。しかし、連動切替板７６、接触子７５及び第２回転子７１は、図１２（Ｂ）に相当する状態にあり、接触子７５が孔７６Ｇの中に存在しないので、連動切替板７６は第２回転子７１の回動には連動しない。従って、第１サムターン２２の解錠操作によっては、第１施錠ユニット４０のみが動作する（図１２（Ｄ））。
【００６８】
以上のように、この場合においても、第１及び第２施錠ユニット４０、９０が共に施錠状態にあるときに、室内側から解錠をする場合は第１サムターン２２及び第２サムターン７２の両方を操作する必要がある。第１及び第２施錠サムターン２２、７２による操作を示したが、代わりに室外側から第１シリンダー錠１及び第２シリンダー錠５１によって解錠操作をする場合も全く同じ原理により、第１シリンダー錠１及び第２シリンダー錠５１の両方の操作が必要である。このことも、解錠という操作の性質上、賊等が解錠し難いことが必要であることから好ましいことである。また、最終的に第１及び第２施錠ユニット４０、９０の解錠作業が完了すると、各部材は図１２（Ｅ）のようになり、これは図８（Ａ）に相当する状態なので連動状態である。これにより、次に施錠作業を行うときには、第１施錠ユニット４０と第２施錠ユニット９０は、図１０に示したように連動して施錠することができる。
【００６９】
図１３は、図１０〜図１２において想定されていない状況である、第１施錠ユニット４０が解錠状態、第２施錠ユニット９０が施錠状態であるときに、第１施錠ユニット４０を施錠し、第１及び第２施錠ユニット４０、９０の両方を施錠状態にするときの主要部の動きを模式的に示した図である。これは、例えば外出から帰宅し、１度は第１シリンダー錠１により第１施錠ユニット４０の解錠をしたものの、何らかの理由で、第２シリンダー錠５１による第２施錠ユニット９０の解錠をする前に、再び第１シリンダー錠１により第１施錠ユニット４０の施錠をしてその場を離れるというような場合を想定している。このとき、第１施錠ユニット４０を解錠した後、さらに第１施錠ユニット４０を施錠する操作をすることになるが、このとき、第２施錠ユニット９０が連動し、解錠してしまうことは好ましくない。
【００７０】
そこで、図１３は、かかる場合においても、第１施錠ユニット４０のみが単独で動作し、第２施錠ユニット９０の施錠は維持されるということを確認的に示したものである。室外からの操作を例に挙げたが、図１０〜図１２の説明において、室内側からの操作を例に挙げたこと、及び室外側からの操作（シリンダー錠による操作）も、室内側からの操作（サムターンを回動させることによる操作）も同じ原理であり同じ結果を得るので、理解しやすさのため、図１０〜図１２の説明に合わせて室内側からの操作を示す。図１３中の構成要素及び視点は、図１０〜図１２と同じである。図１３（Ａ）において、第１施錠ユニット４０は解錠状態、第２施錠ユニット９０は施錠状態である。かかる状態は、図８（Ｂ）に相当し、第２回転子７１と連動切替板７６は非連動状態である。従って、この状態から第１施錠ユニット４０を施錠するため、第１サムターン２２を反時計回りに回動させると第１回転子２１、第１錠箱１０及び第１シリンダー錠１は第１サムターン２２に追随して反時計回りに回動し、第１施錠ユニット４０の施錠ができる。一方、第２回転子７１は、ワイヤ９５を介して第１回転子２１に連動して反時計回りに回動する。しかし、このとき、第２回転子７１と連動切替板７６は非連動状態なので、連動切替板７６は第２回転子７１の回動によっては回動しない。従って、第２サムターン７２、第２錠箱６０）及び第２シリンダー錠５１も回動することはなく、第２施錠ユニット９０は施錠が維持される（図１３（Ｂ））。最終的に、第１及び第２施錠ユニット４０、９０が施錠状態になると、図１３（Ｃ）の状態となり、これは図８（Ｃ）に相当するので非連動状態である。これにより、次に解錠操作を行うときにも第１施錠ユニット４０と第２施錠ユニット９０は、上述したように、各々の解錠操作をする必要がある。以上のように、第１及び第２施錠ユニット４０、９０が共に施錠状態にあるときから、第１施錠ユニット４０を解錠し、その後再び第１施錠ユニット４０を施錠しても第２施錠ユニット９０の施錠は維持されて危惧された不具合は生じない。
【００７１】
図１４は、図１３の場合とは反対に第１施錠ユニット４０が施錠状態、第２施錠ユニット９０が解錠状態にある施錠装置の第２施錠ユニット９０を施錠するときにおける、第１及び第２施錠ユニット４０、９０の主要部の状態を模式的に示したものである。考えられる場面は、図１３と同じであり、図１３において第１施錠ユニット４０が操作された代わりに第２施錠ユニット９０が操作されたことを想定している。図１０中の構成要素及び視点は、図１０〜図１３と同じである。
【００７２】
図１４（Ａ）において、第１施錠ユニット４０は施錠状態、第２の施錠ユニット９０は解錠状態である。この状態は、図８（Ｂ）に相当し、第２回転子７１と連動切替板７６は非連動状態である。従って、この状態から第２施錠ユニット９０を施錠するため第２サムターン７２を反時計回りに回動すると、連動切替板７６、第２錠箱６０及び第２シリンダー錠５１は、第２サムターン７２に追随して反時計回りに回動し、第２施錠ユニット９０の施錠ができる。一方、このとき第２回転子７１は連動切替板７６と非連動状態なので、連動切替板７６の回動によっては回動しない。従って、第１サムターン２２、第１錠箱１０及び第１シリンダー錠１も回動することはなく施錠が維持される（図１４（Ｂ））。最終的に、第１及び第２施錠ユニット４０、９０が施錠状態になると、図１４（Ｃ）の状態となり、これは図８（Ｃ）に相当するので非連動状態である。これにより、次に解錠操作を行うときにも、第１施錠ユニット４０と第２施錠ユニット９０は、各々の施錠ユニット４０、９０で解錠操作をする必要がある。以上より、第１及び第２施錠ユニット４０、９０が共に施錠状態にあるときから、第２施錠ユニット９０を解錠し、その後再び第２施錠ユニット９０を施錠しても、第１施錠ユニット４０の施錠は維持されて危惧された不具合は生じない。
【００７３】
本実施形態においては、施解錠操作は、サムターン２２、７２又はシリンダー錠１、５１を９５度回動させることにより完了することとしたが、９５度である必要はなく、１９０度など、他の角度で施解錠操作が完了するものであってもよい。そのときには、カム面７７ＪのＰ及びＱで示された部位の位置を、適した位置に変更することにより、本実施形態と同じ効果を得ることができる。
【００７４】
３−２．室内側解錠連動子を利用した連動・非連動切替機構による施解錠操作
次に室内側解錠連動子を利用した連動・非連動切替機構による施解錠操作について説明する。図１５は、第１施錠ユニット４０及び第２施錠ユニット９０の両方が施錠状態にある場合から、第２サムターン７２を室外方向に押し込み、解錠操作をする場合を示した図である。図１５に示された部材の配置及び視点は図１０〜図１４と同じである。図１５（Ａ）に示したように第１及び第２施錠ユニット４０、９０の両方が施錠されている状態から第２サムターン７２を室外方向に押し込むと、図９（Ｃ）に示したように、回転子連結部８１Ａが貫通孔７１Ｅに入り込む。これにより、第２サムターン７２と第２回転子７１とが連動状態となる。この状態から、第２サムターン７２を解錠操作すると、第２回転子７１の回動に連動して、第１回転子２１もワイヤ９５を介して回動する（図１５（Ｂ））。従って、上述した関係により、第１、第２錠箱１０、６０、第１、第２シリンダー錠１、５１及び第２サムターン７２、第１サムターン２２が解錠される。よって、第２サムターン７２の操作のみで、第１施錠ユニット４０及び第２施錠ユニット７０の両方を連動して解錠することができる。
【００７５】
上述した連動切替板７６を利用した切替機構では、解錠は第１、第２施錠ユニット４０、７０は、個々に操作しなければ解錠することができなかったが、この室内側解錠連動子を利用した連動・非連動切替機構により、解錠が連動して行えることができるようになり、利用者の利便性を向上させることができる。さらには、この室内側解錠連動子を利用した連動・非連動切替機構による解錠の連動は、サムターン７２を室外側に押し込む動作を要するので、室内側からの解錠操作時に有効であり、室外側からの解錠操作では連動しない。これは防犯の観点から非常に好ましいことである。従って、連動切替板７６を利用した切替機構によって、防犯性を維持しつつ利用者の利便性を向上することができるようになる。
【００７６】
そして、図１５（Ｃ）に示したように、連動切替板７６を利用した切替機構により解錠操作が完了すると、第１及び第２施錠ユニット４０、９０は、図１０（Ａ）の状態となり、引き続き、連動切替板７６による連動・非連動の切替機構を動作させることができる。また、図示はしないが、第１、第２施錠ユニット４０、７０の施解錠状態が異なるときには、回転子連結部８１Ａと第２回転子７１Ｅとの断面形状の向きが異なるので、第２サムターン７２を室外側に押し込むことはできず、誤って操作されることはない。
【００７７】
本実施形態において２つの連動切替機構は、第２施錠ユニット９０に備えられたが、これが第１施錠ユニットに備えられていてもよい。この場合、第１サムターンを室外側へ押し込む操作により、連動させることができる施錠装置となる。
【００７８】
なお、本発明の施錠装置１００は、施解錠操作の確実性及び操作性の更なる向上のため、施解錠操作である回動操作が、半分より多く（施解錠操作がサムターン２２、７２又はシリンダー錠１、５１を９５度回動させることによって完了する場合にあっては、６０度より大きく。）行われると、自動に、残りの回動操作を完了させる不図示の機構を備えている。これにより、本発明の施解錠装置１００の施解錠の確実性及び操作性は向上する。
【００７９】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う施錠装置及び該施錠装置を備える開口部装置もまた本発明の技術的範囲に包含されるものとして理解されなければならない。
【図面の簡単な説明】
【００８０】
【図１】本発明の施錠装置を備える開口部装置を概略的に示す室内側及び室外側からの正面図である。
【図２】本発明の施錠装置を備える開口部装置の代表的な部位に着目して示す室内側の斜視図である。
【図３】第１及び第２室内側ユニットの各構成部材の分解斜視図である。
【図４】第１及び第２の室内側ユニットの各構成部材を図３とは異なる視点で示す分解斜視図である。
【図５】第２回転子に設けられた貫通孔の横断面図である。
【図６】室内側解錠連動切替子の空転部の横断面図である。
【図７】室内側解錠連動子の回転子連結部の横断面図である。
【図８】連動切替板を利用した連動・非連動切替機構のうち、その動作を示すために第２回転子、接触子、連動切替板を模式的に示した図である。
【図９】室内側解錠連動子を利用した連動・非連動切替機構のうち、その動作を示すために第２回転子、室内側解錠連動切替子、室内側解錠連動子及び第２サムターンを模式的に示した図である。
【図１０】第１施錠ユニット及び第２施錠ユニット両方が解錠状態にあり、連動切替板を利用した連動切替機構により、第１サムターンを利用して施錠する場合における各施錠ユニット主要部の動作を模式的に示した図である。
【図１１】図１０（Ｃ）の状態（施錠状態）から、連動切替板を利用した連動切替機構により、第１サムターンによる解錠操作を先に行い、次に第２サムターンによる解錠操作を行うことにより、第１及び第２施錠ユニット両方の解錠を行うときにおける、主要部の動作を模式的に示した図である。
【図１２】図１１（Ｃ）の状態（施錠状態）から、連動切替板を利用した連動切替機構により、第２サムターンによる解錠操作を先に行い、次に第１サムターンによる解錠操作を行うことにより、第１及び第２施錠ユニット両方の解錠を行うときにおける、主要部の動作を模式的に示した図である。
【図１３】第１施錠ユニットが解錠状態、第２施錠ユニットが施錠状態であるときに、連動切替板を利用した連動切替機構により、第１施錠ユニットを施錠し、第１及び第２施錠ユニット両方を施錠状態にするときにおける、主要部の動作を模式的に示した図である。
【図１４】第１施錠ユニットが施錠状態、第２施錠ユニットが解錠状態であるときに、連動切替板を利用した連動切替機構により、第２施錠ユニットを施錠し、第１及び第２施錠ユニット両方を施錠状態にするときにおける、主要部の動作を模式的に示した図である。
【図１５】第１施錠ユニット及び第２施錠ユニットが解錠状態にあるとき、室内側解錠連動子を利用した連動切替機構により、第２サムターンを操作して、第１及び第２施錠ユニットを連動して解錠状態にするときにおける、主要部の動作を模式的に示した図である。
【符号の説明】
【００８１】
１  シリンダー錠（第１シリンダー錠）
１０  錠箱（第１錠箱）
１２  第１デッドボルト
２０  室内側ユニット（第１室内側ユニット）
２１  回転子（第１回転子）
２２  第１室内操作手段（第１サムターン）
４０  施錠ユニット（第１施錠ユニット）
５１  シリンダー錠（第２シリンダー錠）
６０  錠箱（第２錠箱）
６２  第２デッドボルト
７０  室内側ユニット（第２室内側ユニット）
７２  第２室内操作手段（第２サムターン）
７５  接触子
７６  連動切替板
８０  室内側解錠連動切替子
８１  室内側解錠連動子
９０  施錠ユニット（第２施錠ユニット）
９５  ワイヤ
１００  施錠装置
１０００  開口部装置
【図１】
2006249910.tif 000003
【図２】
2006249910.tif 000004
【図３】
2006249910.tif 000005
【図４】
2006249910.tif 000006
【図５】
2006249910.tif 000007
【図６】
2006249910.tif 000008
【図７】
2006249910.tif 000009
【図８】
2006249910.tif 000010
【図９】
2006249910.tif 000011
【図１０】
2006249910.tif 000012
【図１１】
2006249910.tif 000013
【図１２】
2006249910.tif 000014
【図１３】
2006249910.tif 000015
【図１４】
2006249910.tif 000016
【図１５】
2006249910.tif 000017